(57)【特許請求の範囲】
【請求項１】
病院、福祉施設、美術館、博物館、ビル等の公共施設に設置され、主装置（１）に自動火災報知設備等の警報装置（４）と、表示装置（２ａ、２ｂ、・・・）とを接続し、火災や災害発生時に避難誘導を行なう公共施設避難誘導システムであって、
前記主装置は、前記避難誘導のための映像信号および前記表示装置の制御データを編成するパーソナルコンピュータ（１０）と、前記パーソナルコンピュータに接続され前記避難誘導のための映像信号をＮＴＳＣ方式に変換する映像信号変換回路（１１）と、前記映像信号を送信する映像送信回路（１６）と、前記パーソナルコンピュータに接続され前記表示装置の制御データを送信する制御データ送信回路（１５）とを備え、
前記表示装置は、前記映像信号を受信する映像受信回路（２３）と、前記映像信号が自局宛に送られた場合に制御データ受信回路（２２）からの前記制御データにより前記映像信号を記録し再生する録画・再生回路（２４）と、前記録画・再生回路からの映像信号を表示する表示部（２０ａ）、前記表示部を照射するバックライト（２０ｂ）、前記バックライトを点灯させるバックライト駆動部（２０ｃ）を有する映像表示ユニット（２０）とを備え、
前記録画・再生回路には、前記警報装置からの警報情報により前記火災や災害発生時に火元などを避け安全に避難できる最短距離の避難経路を矢印で表示する避難誘導表示部（２０ｄ）と文字で各種情報を表示する文字情報表示部（２０ｅ）で構成され、非常口や非常階段等への誘導を補助する避難誘導画面（２０ｆ）が前記パーソナルコンピュータにより予め録画されており、
前記主装置のパーソナルコンピュータは、前記火災や災害発生時に前記警報装置からの警報情報と連動し、前記バックライト駆動部を制御して前記映像表示ユニットのバックライトを駆動させ、前記録画・再生回路より再生した前記避難誘導画面を前記映像表示ユニットの表示部に表示することを特徴とする公共施設避難誘導システム。
【請求項２】
前記表示装置は、非常時であることを耳の不自由な者に伝えるための非常灯（２８）と、目の不自由な者に音声で誘導するためのスピーカ（３０）とを備えたことを特徴とする請求項１記載の公共施設避難誘導システム。
【発明の詳細な説明】
【０００１】
【発明の属する技術分野】
本発明は公共施設避難誘導システムに関し、特に病院、福祉施設、美術館、博物館、ビル等内の公共施設において、災害時における避難経路への誘導を補助する公共施設避難誘導システムに係わる。
【０００２】
【従来の技術】
従来から、病院、福祉施設、美術館、博物館、ビルにおいて、この種の避難誘導装置の一例として、非常口誘導灯の設置、避難経路の表示が一般的に知られている。これらの表示は非常口付近の壁や天井付近に設置され、避難経路への誘導を行っている。
【０００３】
【発明が解決しようとする課題】
従来の避難誘導表示においては、場所によって表示の行き届いていない部分が存在し、避難の際に時間がかかる可能性がある。
【０００４】
本発明は、このような難点を解消するためになされたもので、これら避難誘導表示の補助の役目を担い、避難時の時間短縮を図る公共施設避難誘導システムを提供することを目的とする。
【０００５】
【課題を解決するための手段】
この目的を達成するため、本発明の公共施設避難誘導システムは、病院、福祉施設、美術館、博物館、ビル等の公共施設に設置され、主装置に自動火災報知設備等の警報装置と、表示装置とを接続し、火災や災害発生時に避難誘導を行なうものである。
【０００６】
主装置は、避難誘導のための映像信号および表示装置の制御データを編成するパーソナルコンピュータと、パーソナルコンピュータに接続され避難誘導のための映像信号をＮＴＳＣ方式に変換する映像信号変換回路と、映像信号を送信する映像送信回路と、パーソナルコンピュータに接続され表示装置の制御データを送信する制御データ送信回路とを備え、表示装置は、映像信号を受信する映像受信回路と、映像信号が自局宛に送られた場合に制御データ受信回路からの制御データにより映像信号を記録し再生する録画・再生回路と、録画・再生回路からの映像信号を表示する表示部、表示部を照射するバックライト、バックライトを点灯させるバックライト駆動部を有する映像表示ユニットとを備えている。
【０００７】
録画・再生回路には、警報装置からの警報情報により火災や災害発生時に火元などを避け安全に避難できる最短距離の避難経路を矢印で表示する避難誘導表示部と文字で各種情報を表示する文字情報表示部で構成され、非常口や非常階段等への誘導を補助する避難誘導画面がパーソナルコンピュータにより予め録画されている。
【０００８】
主装置のパーソナルコンピュータは、火災や災害発生時に警報装置からの警報情報と連動し、バックライト駆動部を制御して映像表示ユニットのバックライトを駆動させ、録画・再生回路より再生した避難誘導画面を映像表示ユニットの表示部に表示するものである。
【０００９】
表示装置は、非常時であることを耳の不自由な者に伝えるための非常灯と、目の不自由な者に音声で誘導するためのスピーカとを備えている。
【００１０】
このような公共施設避難誘導システムにおいて、設置された各表示装置の録画・再生回路に、予め避難誘導画面を録画しておき、災害等で避難が必要な状態となった場合に、自動火災報知設備等の警報装置と連動し、設置された映像表示ユニットにおいて、避難誘導画面を表示し、さらに表示装置に設けられた非常灯の点滅、音声による誘導も同時に行う。これにより、病院、福祉施設、美術館、博物館、ビル等の公共施設における災害時の避難行動を補助することができる。
【００１１】
【発明の実施の形態】
以下、本発明の公共施設避難誘導システムを適用した好ましい実施の形態例について図面を参照して説明する。
【００１２】
図１に示すように、本発明の公共施設避難誘導システムは、病院、福祉施設、美術館、博物館、ビル等の公共施設に設置され、主装置１に自動火災報知設備等の警報装置４と、複数台の表示装置２ａ、２ｂ、・・・とを接続し、火災や災害発生時に避難誘導を行なうものである。
【００１３】
主装置１は、制御回線Ｌ1を介し表示装置２ａ、２ｂ、・・・に接続され、主装置１は表示装置２ａ、２ｂ、・・・を制御回線Ｌ1を介してそれぞれ制御する表示映像制御機能を有し主装置１から制御データが表示装置２ａ、２ｂ、・・・に送信される。また主装置１は、アナログ回線Ｌ2を介し映像分岐器３ａ、３ｂ、・・・を経由して複数台の表示装置２ａ、２ｂ、・・・に接続され、主装置１から避難誘導のための映像信号が映像分岐器３ａ、３ｂ、・・・で分岐されて各表示装置２ａ、２ｂ、・・・に配信される。各表示装置２ａ、２ｂ、・・・は主装置１からの表示映像制御機能により表示映像を記録・再生する録画・再生機能およびその制御機能を有し、避難誘導のための映像信号を記録・再生する。
【００１４】
主装置１は、図２に示すように、避難誘導のための映像信号および表示装置２ａ、２ｂ、・・・の制御データを編成するパーソナルコンピュータ１０と、パーソナルコンピュータ１０に接続されパーソナルコンピュータ１０のＶＧＡ出力端子Ｐ1から出力される避難誘導のための映像信号（静止画映像）をＮＴＳＣ方式に変換した静止画映像信号として出力する映像信号変換回路１１と、映像信号を送信する映像送信回路１６と、パーソナルコンピュータ１０に接続され表示装置２ａ、２ｂ、・・・の制御データを送信する制御データ送信回路１５とを備えている。
【００１５】
また、主装置１には、ＶＴＲ等からなる映像再生回路１２と、テレビカメラユニット１３と、パーソナルコンピュータ１０の制御出力端子Ｐ2から出力される制御信号（以下、映像選択制御信号と称す）の制御により、映像信号変換回路１１からの静止画映像信号、映像再生回路１２から出力される動画映像としての再生映像信号、テレビカメラユニット１３から出力されるリアルタイムの動画映像としてのテレビカメラ映像信号のうち少なくとも１つを選択する映像選択回路１４とが備えられている。
【００１６】
制御データ送信回路１５は、パーソナルコンピュータ１０の制御出力端子Ｐ2から出力され、映像を表示させる当該表示装置を選択するための選局アドレスを先頭に、選局された当該表示装置の制御データからなる制御信号（以下、映像制御信号と称す：図５のデータ配列図参照）を制御回線接続端子Ｔ1を介して制御回線Ｌ1に送信する機能を有している。映像送信回路１６は、映像選択回路１４にて選択された当該映像信号を変調させた当該映像変調信号としてアナログ回線続端子Ｔ2を介してアナログ回線Ｌ2に送信する機能を有している。
【００１７】
表示装置２ａ、２ｂ、・・・は、それぞれ同様な構成であり、図３に示すように、主装置１から制御回線Ｌ1、制御回線接続端子Ｔ11を伝送されてきた当該映像制御信号を受信する制御データ受信回路２２と、主装置１からアナログ回線Ｌ2および当該映像分岐器、アナログ回線接続端子Ｔ12伝送されてきた当該映像変調信号を受信し復調する映像受信回路２３と、受信した当該表示映像制御信号をなす選局アドレスと予め割り当てられている自局アドレスとの一致が検出され映像信号が自局宛に送られた場合に制御データ受信回路２２からの制御データにより能動とされ、映像受信回路２３を介して復調された当該映像信号を静止画映像として記録・再生する録画・再生回路２４と、映像受信回路２３または録画・再生回路２４からの映像信号を表示する表示部２０ａ、表示部を照射するバックライト２０ｂ、バックライトを点灯させるバックライト駆動部２０ｃを有する映像表示ユニット２０とを備えている。
【００１８】
また、表示装置２ａ、２ｂ、・・・にはその筐体面に、上述の表示映像を表示する映像表示ユニット２０に加えて、当該表示装置の前に立った人物を感知するための所定の感知エリアを有する人感センサ２１とが備えられている。さらに、表示装置２ａ、２ｂ、・・・には、制御データ受信回路２２にて一致が検出された当該アドレスに続いて配信されてくる制御データに基づいて、映像受信回路２３を介して復調された当該映像信号または録画・再生回路２４を介して再生された静止画からなる映像信号（静止画映像表示信号）を映像表示ユニット２０に出力する映像切替回路２５と、人感センサ２１にて人体を感知された感知開始時からの計時機能を備えたタイマー回路２６ａを有するセンサインターフェース（以下、センサＩＦと称す）２６とが備えられている。バックライト駆動部２０ｃはセンサＩＦ２６をなすタイマー回路２６ａによりその計時時間内においてバックライト２０ｂを点灯させることができる。
【００１９】
図４に示すように、録画・再生回路２４には、警報装置４からの警報情報により火災や災害発生時に火元などを避け安全に避難できる最短距離の避難経路を矢印で表示する避難誘導表示部２０ｄと文字で各種情報を表示する文字情報表示部２０ｅで構成され、非常口や非常階段等への誘導を補助する避難誘導画面２０ｆがパーソナルコンピュータ１０により予め録画されている。
【００２０】
主装置１は、警報装置４からの警報情報により火災や災害発生時に避難誘導画面２０ｆを表示させるためバックライト駆動部２０ｃを直接制御可能とするものである（図３）。
【００２１】
表示装置２ａ、２ｂ、・・・は、非常時であることを耳の不自由な者に伝えるための非常灯２８と、目の不自由な者に音声で誘導するためのスピーカ３０とを備えている。
【００２２】
このように構成された公共施設避難誘導システムにおいて、先ず主装置１（図１、図２）のパーソナルコンピュータ１０から各表示装置２ａ、２ｂ、・・・（図１、図３）の録画・再生回路２４にそれぞれの避難誘導画面２０ｆ（図４）の静止映像を録画する。この録画は、以下の手法により実行される。
【００２３】
即ち、主装置１のパーソナルコンピュータ１０のＶＧＡ出力端子Ｐ1から出力される静止画映像は、映像信号変換回路１１を介してＮＴＳＣ形式に変換された静止画映像信号Ｓ1として映像選択回路１４に入力される。
【００２４】
主装置１のパーソナルコンピュータ１０の制御出力端子Ｐ2から出力され、表示装置２ａを指定した選局アドレスＳ11aを先頭に、録画・再生回路２４を能動とし、録画・再生回路２４からの静止画映像表示信号を映像表示ユニット２０にて表示させるための制御データＳ11bからなる表示映像制御信号Ｓ11（図５のデータ配列図参照）は、制御データ送信回路１５、制御回線接続端子Ｔ1を介して制御回線Ｌ1を伝送されるとともに、当該パーソナルコンピュータの制御出力端子Ｐ2からの映像選択制御信号Ｓ12を検出した映像選択回路１４の制御により選択された静止画映像信号Ｓ1は、映像送信回路１６を介して変調された静止画映像変調信号Ｓ1aとしてアナログ回線接続端子Ｔ2からアナログ回線Ｌ2を伝送される。
【００２５】
制御回線Ｌ1を伝送された表示映像制御信号Ｓ11は、表示装置２ａ、２ｂ、・・・（図３）の各制御回線接続端子Ｔ11を介して制御データ受信回路２２にてそれぞれ受信される。表示装置２ａ、２ｂ、・・・の各制御データ受信回路２２は、受信された表示映像制御信号Ｓ11をなす選局アドレスＳ11aと予め割り当てられている自局アドレスとを照合し、当該アドレスが一致した場合にのみ制御データＳ11bを有効であると判断する。ここでは、表示装置２ａの制御データ受信回路２２のみ当該アドレスが一致し、有効と判断された制御データＳ11bに基づいて、録画・再生回路２４を能動とするための録画・再生制御信号Ｓ21、映像切替回路２５を制御するための映像切替制御信号Ｓ22がそれぞれ出力される。
【００２６】
アナログ回線Ｌ2を伝送された静止画映像変調信号Ｓ1aは、映像分岐器３ａ、３ｂ、・・・から表示装置２ａ、２ｂ、・・・の各アナログ回線接続端子Ｔ12を介して映像受信回路２３にてそれぞれ受信される。表示装置２ａ、２ｂ、・・・の各映像受信回路２３は、受信された静止画映像変調信号Ｓ1aを復調させた静止画映像（復調）信号Ｓ1bとして、録画・再生制御信号Ｓ21により能動とされた録画・再生回路２４および制御データ受信回路２２からの映像切替制御信号Ｓ22により制御される映像切替回路２５にそれぞれ出力する。能動とされた録画・再生回路２４は、映像受信回路２３からの静止画映像信号Ｓ1bを静止画映像として記憶し、再生させた静止画映像表示信号Ｓ1cを映像切替回路２５に出力する。映像切替回路２５は制御データ受信回路２２からの映像切替制御信号Ｓ22の制御により、映像受信回路２３からの静止画映像信号Ｓ1b、録画・再生回路２４からの静止画映像表示信号Ｓ1cのうち当該静止画映像表示信号を映像表示ユニット２０に出力する。
【００２７】
このようにして火災等の災害が発生し避難が必要になった場合に、自動火災報知設備等の警報装置４の警報機能と連動し、主装置１のパーソナルコンピュータ１０から制御データ送信回路１５を経由し、各表示装置２ａ、２ｂ、・・・内の制御データ受信回路２２へ録画・再生回路２４を能動とさせる個別の制御信号を送信し、避難誘導画面２０ｆを再生し、映像切替回路２５を介して映像表示ユニット２０の表示部２０ａで表示する。
【００２８】
この場合、主装置１のパーソナルコンピュータ１０から制御データ送信回路１５、各表示装置２ａ、２ｂ、・・・内の制御データ受信回路２２を経由し映像表示ユニット２０のバックライト駆動部２０ｃへ、バックライト２０ｂを駆動させるための制御信号を送り、避難誘導画面２０ｆを表示部２０ａに表示させる。
【００２９】
また、同時に非常灯制御部２７に制御信号を送信し、映像表示ユニット２０の両側に設けた非常灯２８を点滅させ、耳の不自由な方にも緊急事態であることを視覚的に伝える。さらに音声情報制御部２９に制御信号を送り、スピーカ３０より音声による避難誘導も行なう。
【００３０】
この公共施設避難誘導システムによれば、上述の避難誘導の他に、映像信号変換回路１１を介してＮＴＳＣ形式に変換された静止画映像信号Ｓ1、映像再生回路１２から出力される動画映像としての再生映像信号Ｓ2、テレビカメラユニット１３から出力される動画映像としてのテレビカメラ映像信号Ｓ3についても表示装置２ａ、２ｂ、・・・に表示する映像表示システムとして利用することができる。以下、その動作について説明する。
【００３１】
主装置１のパーソナルコンピュータ１０のＶＧＡ出力端子Ｐ1から出力される静止画映像（表示映像）は、映像信号変換回路１１を介してＮＴＳＣ形式に変換された静止画映像信号Ｓ1として映像選択回路１４に入力される。また、映像再生回路１２から出力される動画映像（表示映像）としての再生映像信号Ｓ2、テレビカメラユニット１３から出力される動画映像（表示映像）としてのテレビカメラ映像信号Ｓ3についても映像選択回路１４にそれぞれ入力される。
【００３２】
主装置１の映像選択回路１４に入力されている静止画映像としての静止画映像信号Ｓ1を、静止画映像からなる表示映像として表示装置２ａの映像表示ユニット２０に表示させるにあたっては、主装置１のパーソナルコンピュータ１０の制御出力端子Ｐ2から出力され、表示装置２ａを指定した選局アドレスＳ11aを先頭に、録画・再生回路２４を能動とし当該録画・再生回路からの静止画映像表示信号を映像表示ユニット２０にて表示させるための制御データＳ11bからなる表示映像制御信号Ｓ11（図５のデータ配列図参照）は、制御データ送信回路１５、制御回線接続端子Ｔ1を介して制御回線Ｌ1を伝送されるとともに、当該パーソナルコンピュータの制御出力端子Ｐ2からの映像選択制御信号Ｓ12を検出した映像選択回路１４の制御により選択された静止画映像信号Ｓ1は、映像送信回路１６を介して変調された静止画映像変調信号Ｓ1aとしてアナログ回線接続端子Ｔ2からアナログ回線Ｌ2を伝送される。
【００３３】
制御回線Ｌ1を伝送された表示映像制御信号Ｓ11は、表示装置２ａ、２ｂ、・・・の各制御回線接続端子Ｔ11を介して制御データ受信回路２２にてそれぞれ受信される。表示装置２ａ、２ｂ、・・・の各制御データ受信回路２２は、受信された表示映像制御信号Ｓ11をなす選局アドレスＳ11aと予め割り当てられている自局アドレスとを照合し、当該アドレスが一致した場合にのみ制御データＳ11bを有効であると判断する。ここでは、表示装置２ａの制御データ受信回路２２のみ当該アドレスが一致し、有効と判断された制御データＳ11bに基づいて、録画・再生回路２４を能動とするための録画・再生制御信号Ｓ21、映像切替回路２５を制御するための映像切替制御信号Ｓ22がそれぞれ出力される。
【００３４】
アナログ回線Ｌ2を伝送された静止画映像変調信号Ｓ1aは、映像分岐器３ａ、３ｂ、・・・から表示装置２ａ、２ｂ、・・・の各アナログ回線接続端子Ｔ12を介して映像受信回路２３にてそれぞれ受信される。表示装置２ａ、２ｂ、・・・の各映像受信回路２３は、受信された静止画映像変調信号Ｓ1aを復調させた静止画映像（復調）信号Ｓ1bとして、録画・再生制御信号Ｓ21により能動とされた録画・再生回路２４および制御データ受信回路２２からの映像切替制御信号Ｓ22により制御される映像切替回路２５にそれぞれ出力する。能動とされた録画・再生回路２４は、映像受信回路２３からの静止画映像信号Ｓ1bを静止画映像として記憶し、再生させた静止画映像表示信号Ｓ1cを映像切替回路２５に出力する。映像切替回路２５は制御データ受信回路２２からの映像切替制御信号Ｓ22の制御により、映像受信回路２３からの静止画映像信号Ｓ1b、録画・再生回路２４からの静止画映像表示信号Ｓ1cのうち当該静止画映像表示信号を映像表示ユニット２０に出力する。
【００３５】
ここで、表示装置２ａの人感センサ２１が、感知エリア内に人物が立っていることを感知すると、センサＩＦ２６をなすタイマー回路２６ａの計時機能が能動とされ、センサＩＦは映像表示ユニット２０をなすバックライト駆動部２０ｃを駆動させるためのバックライト駆動制御信号Ｓ23を一定時間出力する。映像表示ユニット２０をなすバックライト２０ｂはバックライト駆動部２０ｃの制御により一定時間点灯されることから、映像切替回路２５からの静止画映像表示信号Ｓ1cが静止画映像として表示部２０ａに表示される。尚、センサＩＦ２６をなすタイマー回路２６ａにて一定時間の計時がタイムアップされると、映像表示ユニット２０をなすバックライト駆動部２０ｃへのバックライト駆動制御信号Ｓ23の出力が停止され、バックライト２０ｂは消灯されることから、表示部２０ａでの静止画映像の表示もオフとなり、バックライト２０ｂの省電力化が図れる。
【００３６】
主装置１の映像選択回路１４に入力されている動画映像としての再生映像信号Ｓ2、テレビカメラ映像信号Ｓ3のうち、再生映像信号Ｓ2を静止画映像または動画映像からなる表示映像として表示装置２ａの映像表示ユニット２０に表示させるにあたっては、主装置１のパーソナルコンピュータ１０の制御出力端子Ｐ2から出力され、表示装置２ａを指定した選局アドレスＳ11aを先頭に、録画・再生回路２４を能動とし映像受信回路２３からの再生映像（復調）信号または当該録画・再生回路からの静止画映像表示信号を映像表示ユニット２０にて表示させるための制御データＳ31bからなる表示映像制御信号Ｓ31（図５のデータ配列図参照）は、上述の表示映像制御信号Ｓ11と同様な伝送経路を介して、表示装置２ａ、２ｂ、・・・の各制御データ受信回路２２にてそれぞれ受信されるとともに、当該パーソナルコンピュータの制御出力端子Ｐ2からの映像選択制御信号Ｓ32を検出した映像選択回路１４の制御により選択された再生映像信号Ｓ2は、映像送信回路１６を介して変調された再生映像変調信号Ｓ2aとして上述の静止画映像変調信号Ｓ1aと同様な伝送経路を介して表示装置２ａ、２ｂ、・・・の各映像受信回路２３にてそれぞれ受信される。
【００３７】
表示装置２ａ、２ｂ、・・・の各制御データ受信回路２２は、受信された表示映像制御信号Ｓ31をなす選局アドレスＳ11aと予め割り当てられている自局アドレスとを照合し、当該アドレスが一致した場合にのみ制御データＳ31bを有効であると判断する。ここでは、表示装置２ａの制御データ受信回路２２のみ当該アドレスが一致し、有効と判断された制御データＳ31bに基づいて、録画・再生回路２４を能動とするための録画・再生制御信号Ｓ41、映像切替回路２５を制御するための映像切替制御信号42がそれぞれ出力される。
【００３８】
表示装置２ａ、２ｂ、・・・の各映像受信回路２３は、受信された再生映像変調信号Ｓ2aを復調させた再生映像（復調）信号Ｓ2bとして、録画・再生制御信号Ｓ41により能動とされた録画・再生回路２４および制御データ受信回路２２からの映像切替制御信号Ｓ42により制御される映像切替回路２５にそれぞれ出力する。能動とされた録画・再生回路２４は、映像受信回路２３からの再生映像信号Ｓ2bを静止画映像として記憶し、再生させた静止画映像表示信号Ｓ2cを映像切替回路２５に出力する。映像切替回路２５は制御データ受信回路２２からの映像切替制御信号Ｓ42の制御により、映像受信回路２３からの再生映像信号Ｓ2bまたは録画・再生回路２４からの静止画映像表示信号Ｓ2cを映像表示ユニット２０に適宜に出力する。
【００３９】
ここで、表示装置２ａの人感センサ２１が、感知エリア内に人物が立っていることを感知すると、上述と同様にタイマー回路２６ａの計時機能が能動とされたセンサＩＦ２６からのバックライト駆動制御信号Ｓ23が映像表示ユニット２０をなすバックライト駆動部２０ｃに一定時間出力される。この計時期間内において駆動されるバックライト駆動部２０ｃの制御によりバックライト２０ｂが一定時間点灯され、映像切替回路２５からの再生映像信号Ｓ2bが動画映像（表示映像）として、または静止画映像表示信号Ｓ2cが静止画映像（表示映像）として表示部２０ａに適宜に表示される。尚、センサＩＦ２６をなすタイマー回路２６ａにて一定時間の計時がタイムアップされると、上述と同様に映像表示ユニット２０をなすバックライト駆動部２０ｃへのバックライト駆動制御信号Ｓ23の出力が停止され、バックライト２０ｂは消灯されることから、表示部２０ａでの動画映像（表示映像）または静止画映像（表示映像）の表示もオフとなり、バックライト２０ｂの省電力化が図れる。
【００４０】
また、上述の表示動作と同様な動作により、主装置１の映像選択回路１４に入力されている動画映像としてのテレビカメラ映像信号Ｓ3を、静止画映像または動画映像からなる表示映像として表示装置２ａの映像表示ユニット２０に表示させることもできる。
【００４１】
尚、上述の実施例では、主装置に制御回線、アナログ回線および映像分岐器それぞれを介して接続される表示装置を、複数台の表示装置として説明したが、これに限定されず、単一の当該表示装置でも好適であり上述の実施例と同様な効果を奏する。
【００４２】
【発明の効果】
以上の説明から明らかなように、本発明の公共施設避難誘導システムによれば、避難誘導表示部、文字情報表示部からなる避難誘導画面を各表示装置に録画し、災害時に自動火災報知設備等の警報装置と連動させ、非常灯の点灯、音声による誘導と共に映像表示ユニットに表示させることにより、病院、福祉施設、美術館、博物館、ビル等の公共施設において、災害時の避難の際に非常口誘導灯などの補助の役目をし、避難時間の短縮を図ることができる。
【図面の簡単な説明】
【図１】  本発明の公共施設避難誘導システムの一実施例の全体構成を示すブロック図。
【図２】  本発明の公共施設避難誘導システムの主装置の具体的な構成を示すブロック図。
【図３】  本発明の公共施設避難誘導システムの表示装置の具体的な構成を示すブロック図。
【図４】  本発明の公共施設避難誘導システムの映像表示ユニットに表示される避難誘導表示部と文字情報表示部からなる避難誘導画面を示す模式図。
【図５】  本発明の公共施設避難誘導システムにおいて主装置から表示装置に伝送される制御信号（制御データ）のデータ配列図。
【符号の説明】
１……主装置
２ａ、２ｂ、・・・……表示装置
４……警報装置
１０……パーソナルコンピュータ
１１……映像信号変換回路
１５……制御データ送信回路
１６……映像送信回路
２０……映像表示ユニット
２０ａ……表示部
２０ｂ……バックライト
２０ｃ……バックライト駆動部
２０ｄ……避難誘導表示部
２０ｅ……文字情報表示部
２０ｆ……避難誘導画面
２２……制御データ受信回路
２３……映像受信回路
２４……録画・再生回路
２８……非常灯
３０……スピーカ
【図１】
0004505092.tif 000002
【図２】
0004505092.tif 000003
【図３】
0004505092.tif 000004
【図４】
0004505092.tif 000005
【図５】
0004505092.tif 000006